(57)【要約】  【課題】  ペンタＡＥでの光源検知では、赤外成分が少ないため、低輝度精度（ＳＮ）が低下する。  【解決手段】  ＡＥセンサの分光（可視光）とＡＦセンサの分光（赤外）の比から光源検知を行う。【選択図】  図１
2013231885.tif 000002
【特許請求の範囲】
【請求項１】
焦点検出手段と、
所定の分光感度の信号を出力するＡＥ側の第一受光素子と、
所定の分光感度の信号を出力するＡＦ側の第二受光素子と、
第一の受光素子と第二の受光素子の出力を比較して、照明光源の種別を判別する判別手段と、
判別手段の結果に基いて、焦点検出手段による焦点情報を補正する補正手段と、
を有することを特徴とする自動焦点検出装置。
【請求項２】
低輝度下のみ、第二受光素子の情報を用いて検出を行うことを特徴とする請求項１に記載の自動焦点検出装置。
【請求項３】
被写体コントラストに応じて、検出処理を変えることを特徴とする請求項１に記載の自動焦点検出装置。
【請求項４】
高コントラスト時には、第一受光素子と第二受光素子とが検出するエリアの同一領域またはより広い範囲での光源検知を行い、低コントラスト時には、第一受光素子と第二受光素子とが検出するエリアの平均測光値から光源検知を行うことを特徴とする請求項３に記載の自動焦点検出装置。
【請求項５】
光源検出の誤差が大きい場合のみ、第二検出素子の情報を用いて再度検出を行うことを特徴とする請求項１に記載の自動焦点検出装置。
【発明の詳細な説明】
【技術分野】
【０００１】
本発明は、各種光源条件下で照明された対象物の、撮影レンズを透過した光束に基づいてデフォーカス量を検出する自動焦点検出装置および該自動焦点検出装置を具備するカメラシステムに関するものである。
【背景技術】
【０００２】
撮影レンズを通った光束をビームスプリッタで分割して、その光束を、光軸をずらした二つの結像レンズで焦点検出センサに結像し、２像のずれからデフォーカス量を計算し、そのデフォーカス量に応じて撮影レンズを駆動し合焦させる、いわゆるＴＴＬ（Ｔｈｒｏｕｇｈ  Ｔｈｅ  Ｌｅｎｓ）位相差検出型のオートフォーカス方式は、銀塩／デジタル一眼レフカメラで広く採用されている。
【０００３】
その他の方式のオートフォーカスとしては、撮像素子に結像される被写体像の高周波成分を抽出し、撮影レンズを駆動しながらその高周波成分がもっとも高くなる位置を合焦位置とする、いわゆるコントラスト検出方式のオートフォーカスがビデオカメラなどで広く採用されている。
【０００４】
上記二つのオートフォーカス方式を比較すると、位相差検出方式は、２像のずれから直接にデフォーカス量を検知でき、１回の焦点検出動作で合焦が可能であるので、オートフォーカス動作時間が非常に早いという利点がある反面、撮影光束を分離するビームスプリッタや、ＡＦ結像光学系、焦点検出センサなどを撮影光学系と別に持つ必要があり、コストが高くなると言う課題がある。
【０００５】
一方、コントラスト検出方式では、特別なオートフォーカス検出系を配置する必要がないので、コスト面でも有利であり、また、撮像面上で直接合焦状態の判定ができるので、ピント精度も良いと言う利点がある。しかしその反面、位相差検出方式のようにデフォーカス量を直接に求める事ができず、撮影レンズを少しずつ動かして撮影画像の高周波成分を検出する動作を繰り返し行い、合焦位置を見つけ出す必要があるので、一般的に位相差検出方式に比べて合焦速度が非常に遅くなると言う課題がある。
【０００６】
したがって、早い合焦動作を重視する静止画の一眼レフカメラでは、ＴＴＬ位相差検出方式が広く採用されているが、上記のコストアップという問題の他に、撮像系と焦点検出系が異なる事で、以下の問題が生じる。
【０００７】
撮像系の分光感度特性は一般的な銀塩フィルムの場合では、人間の目の特性に合わせた色再現性を持たせるために、通常４００〜６５０ｎｍ程度の光に対して最も感度を有している。一方、ＣＭＯＳなどの撮像素子の光電変換を行うためのシリコンフォトダイオードは、一般的には８００ｎｍ程度に感度ピークを持っており、長波長側は１１００ｎｍ程度まで感度を持っているが、色再現性を重視するために、感度を犠牲にして上記周波数範囲外の波長の光は光学フィルタで遮断するようにしてある。
【０００８】
一方、オートフォーカス検出用のセンサとしての光電変換素子は、同様に１１００ｎｍ程度まで感度を持っているが、低輝度まで合焦動作を行う事、および、低輝度下で合焦動作ができない場合に、カメラ側から近赤外（７００ｎｍ程度）の発光ダイオードを被写体に照射（補助光発光）する事が行われるので、前述の撮像系よりも１００ｎｍ程度長波長領域まで感度を有するようにしている。
【０００９】
図１２は、光源と撮像素子、補助光の分光感度を示す図であり、横軸は波長、縦軸は相対的エネルギーまたは、レンズの色収差による相対的なピント位置を示す。
【００１０】
同図において、Ｃは撮影レンズの色収差、Ｂ，Ｇ，Ｒは原色型撮像素子の青画素、緑画素、赤画素の各々の分光感度を示し、Ｆは蛍光灯、Ｌはフラッドランプ、Ａは前述の補助光の、それぞれ分光感度を示す。
【００１１】
同図より、蛍光灯の波長成分としては、６２０ｎｍより長波長成分は殆んど含まれていない事に対し、フラッドランプは長波長側になるほど、相対感度が強くなる事がわかる。一方、レンズの色収差を示すラインＣは、同図に示す様に、波長に応じてピント位置が変わり、長波長側になると焦点距離が伸びる方向になる事がわかる。したがって、７００ｎｍに最大感度があるオートフォーカス検出素子の場合に、長波長成分の少ない蛍光灯と、長波長側になるほど相対感度が強くなるフラッドランプでは、検出するピント位置が異なる事になり、結果として、撮像面側のピントがずれてしまうと言う問題が生じる。
【００１２】
この光源の分光感度に応じて、オートフォーカス検出系のピント位置がずれる問題に対して、ピント位置を補正するカメラが特許文献１，２により開示されている。これらの発明では、分光感度の異なる２種類のセンサの出力を比較して、光源の種類を判別し、ピント位置の補正を行う事により、光源の分光によるピントずれを補正する技術が開示されている。
【先行技術文献】
【特許文献】
【００１３】
【特許文献１】特公平１−４５８８３号公報
【特許文献２】特開２０００−２７５５１２号公報
【発明の概要】
【発明が解決しようとする課題】
【００１４】
しかしながら、上記特許文献１および２にて開示されているオートフォーカスカメラでは、可視外の長波長領域を検出して、蛍光灯照明であることを検知している。この方式では、蛍光灯である事を判別しようとしたときに、蛍光灯では可視外の長波長領域は殆んど含まれていないので、例えばＥＶ６以下の暗い状況では、長波長検知用のセンサでは光電流が殆んど流れないために、センサの応答性が極端に低下し、センサ出力が安定するまでに秒オーダーの時間がかかることが判明した。その結果、暗所でカメラの電源をオンして、即座に撮影をしようとした場合には、センサが安定する前に撮影が行われることになり、蛍光灯下でも蛍光灯でないと判別してしまう問題が生じてしまう。
【００１５】
また、この検出系を一眼レフカメラのオートフォーカス光学系の近傍に置いたり、または露光量調停のための測光センサの配置場所として、一般的に行われているようにファインダ光学系である、フォーカシングスクリーンとペンタプリズムを通った後に配置したりした場合には、撮影時は撮像センサにフルの光を与えるために、検出系には被写体光が照射されなくなり、撮影後に再び検出系に光が照射される事になるので、連続撮影時にはセンサが応答せずに、誤検出をするという問題が生じてしまう。
【００１６】
また、ＡＥ側での２つの分光センサの比から光源検知を行った場合、ＡＥ側では、赤外成分が少ないため、低輝度精度（ＳＮ）の低下が懸念される。
【００１７】
そのため、より多くの赤外成分を通すＡＦ側の方が低輝度限界性能が有利といえるが、レイアウト的な制約により、ＡＦ側に光源検知部を設けることは困難であり、そのために、本発明では、ＡＥ側での分光（可視光）とＡＦ側での分光（赤外）の比から光源検知を行うようにしたものである。
【００１８】
本発明の目的は、各種光源下、各輝度下において、様々な撮影レンズを用いても、ピントのずれない精度の良い自動焦点検出装置およびカメラシステムを提供しようとするものであり、特に、ＡＦ側での分光（赤外）も使用することによる、光源検知の精度向上を図るものである。
【課題を解決するための手段】
【００１９】
上記目的を達成するために本発明は、焦点検出手段と、所定の分光感度の信号を出力するＡＥ側の第一受光素子と、所定の分光感度の信号を出力するＡＦ側の第二受光素子と、
第一の受光素子と第二の受光素子の出力を比較して、照明光源の種別を判別する判別手段と、判別手段の結果に基いて、焦点検出手段による焦点情報を補正する補正手段と、を有する自動焦点検出装置とするものである。
【発明の効果】
【００２０】
本発明によれば、各種光源下、各輝度下において、様々な撮影レンズを用いても、ピントのずれない精度の良い自動焦点検出装置またはカメラシステムを提供できるものであり、特に、ＡＦ側での分光（赤外）も使用することによる、光源検知の精度向上を図るものである。
【図面の簡単な説明】
【００２１】
【図１】本発明の実施例１に係る、一眼レフレックスカメラと該カメラに装着される交換式の撮影レンズとによって成るカメラシステムを示す構成図である。
【図２】図１のカメラシステムの回路構成を示すブロック図である。
【図３】本発明の実施例１に係る光源検知用測光センサの構成の説明図である。
【図４】本発明の実施例１に係る光源検知用測光センサの詳細な構成を示す回路図である。
【図５】本発明の実施例１に係る光源検知用測光センサの分光感度特性の説明図である。
【図６】図１のカメラシステムの主要部分の動作の一部を示すフローチャートである。
【図７】図６の動作の続きを示すフローチャートである。
【図８】本発明の実施例２に係る、一眼レフレックスカメラと該カメラに装着される交換式の撮影レンズとによって成るカメラシステムを示す構成図である。
【図９】図８のカメラシステムの回路構成を示すブロック図である。
【図１０】本発明の実施例２に係る光源検知用測光センサの構成の説明図である。
【図１１】本発明の実施例２に係る光源検知用測光センサの分光感度特性の説明図である。
【図１２】一般的な光源と撮像素子、補助光の分光感度を示す図である。
【図１３】図６の動作の一部を示すフローチャートである。
【図１４】図６の動作の一部を示すフローチャートである。
【図１５】図６の動作の一部を示すフローチャートである。
【発明を実施するための形態】
【００２２】
以下の実施例１および実施例２に示す通りである。
【００２３】
［実施例１］
図１は本発明の実施例１に係わる、一眼レフレックスカメラと該カメラに装着される交換式の撮影レンズとによって構成されるカメラシステムの光学配置を示す構成図である。
【００２４】
同図において、１はカメラ本体であり、その前面には撮影レンズ１１が装着される。カメラ本体１内には、光学部品、機械部品、電気回路およびフィルム又はＣＣＤ等の撮像素子などが収納され、写真又は画像撮影が行えるようになっている。以下に、その詳細を説明する。
【００２５】
カメラ本体１内において、２は主ミラーであり、ファインダ観察状態では撮影光路内に斜設され、撮影状態では撮影光路外に退避する。また、主ミラー２はハーフミラーとなっており、撮影光路内に斜設されているときは、後述する焦点検出光学系へ被写体からの光線の約半分を透過させる。３は、ファインダ光学系を構成する、後述のレンズ１２〜１４の予定結像面に配置されたピント板、４はファインダ光路変更用のペンタプリズムである。５はアイピースであり、撮影者はこの窓からピント板３を観察することで、撮影画面を観察することができる。７はファインダ観察画面内の被写体輝度測定用の測光センサ、６は測光センサ７にピント板３を通した被写体像を結像する結像レンズ、３１は光源検出用測光センサ、３０は結像レンズ、３２は測光センサ７の分光特性を視感度に合わせる視感度補正フィルタである。
【００２６】
８はフォーカルプレーンシャッタである。９は感光部材であり、銀塩フィルム又はＣＣＤ等の撮像素子が用いられる。２５はサブミラーであり、主ミラー２とともにファインダ観察状態では撮影光路内に斜設され、撮影状態では撮影光路外に退避する。このサブミラー２５は、斜設された主ミラー２を透過した光線を下方に折り曲げて、後述の焦点検出ユニットの方に導くものである。
【００２７】
２６は焦点検出ユニットであり、２次結像ミラー２７、２次結像レンズ２８、焦点検出ラインセンサ２９や後述の焦点検出回路等から構成されている。２次結像ミラー２７および２次結像レンズ２８は焦点検出光学系を構成しており、撮影レンズ１１の２次結像面を焦点検出ラインセンサ２９上に形成している。この焦点検出ユニット２６はいわゆる位相差検出法によって撮影レンズ１１の焦点調節状態を検出し、その検出結果を撮影レンズの焦点調節機構を制御する自動焦点調節装置へ送出する。
【００２８】
１０はカメラ本体１と撮影レンズ１１との通信インターフェイスとなるマウント接点群である。
【００２９】
次に、撮影レンズ１１内について説明する。１２〜１４はレンズであり、１群レンズ（以下、フォーカシングレンズと記す）１２は光軸上を前後に移動することで撮影画面のピント位置を調整するものであり、２群レンズ１３は光軸上を前後に移動することで撮影レンズ１１の焦点距離を変更し、撮影画面の変倍を行うものであり、１４は固定の３群レンズである。１５は絞りである。１６は駆動モータであり、自動焦点調節動作時にフォーカシングレンズ１２を光軸方向に前後移動させるフォーカス駆動モータである。１７は絞り１５の開口径を変化させるための絞り駆動モータである。１８は距離エンコーダであり、フォーカシングレンズ１２に取り付けられたブラシ１９が摺動することで、該フォーカシングレンズ１２の位置を読み取り、被写体距離に相当する信号を発生する。詳しくは、距離エンコーダ１８とブラシ１９および後述のレンズマイコン１１２は、ピント調節された後のフォーカシングレンズ１２の位置を読み取り、該位置よりその時の被写体距離に換算した信号（被写体距離情報）を出力する被写体距離検出手段を構成している。
【００３０】
次に、図２を用いて、上記カメラシステムの回路構成について説明する。なお、図１と共通の構成要素には同じ符号を付している。
【００３１】
まず、カメラ本体１内の回路構成について説明する。
【００３２】
カメラマイコン１００には、焦点検出回路１０５、被写体輝度測定用測光センサ７、光源検知用測光センサ（輝線検知センサ）３１、シャッタ制御回路１０７、モータ制御回路１０８および液晶表示回路１１１が接続されている。また、カメラマイコン１００は、撮影レンズ１１内に配置されたレンズマイコン１１２とはマウント接点１０を介して信号伝達を行う。
【００３３】
焦点検出回路１０５は、カメラマイコン１００からの信号に従って焦点検出ラインセンサ２９の蓄積制御と読み出し制御を行い、それぞれの画素情報をカメラマイコン１００に出力する。カメラマイコン１００はこの情報をＡ／Ｄ変換し、位相差検出法による焦点調節状態の検出を行い、レンズマイコン１１２と信号のやりとりを行うことによって、撮影レンズ１１の焦点調節制御を行う。
【００３４】
シャッタ制御回路１０７は、カメラマイコン１００からの信号に従ってフォーカルプレーンシャッタ８を構成するシャッタ先幕駆動マグネットＭＧ−１およびシャッタ後幕駆動マグネットＭＧ−２の通電制御を行い、シャッタ先幕および後幕を走行させ、露出動作を行う。モータ制御回路１０８は、カメラマイコン１００からの信号に従ってモータＭを制御することにより、主ミラー２のアップダウンおよびシャッタチャージなどを行う。
【００３５】
ＳＷ１は不図示のレリーズボタンの第１ストローク（半押し）操作でｏｎし、測光、ＡＦ（オートフォーカス）を開始させるスイッチである。ＳＷ２はレリーズボタンの第２ストローク（全押し）操作でｏｎし、シャッタ走行、すなわち露光動作を開始させるスイッチである。スイッチＳＷ１，ＳＷ２およびその他、不図示の操作部材であるＩＳＯ感度設定スイッチ、絞り設定スイッチ、シャッタ速度設定スイッチなどの各スイッチの状態信号はカメラマイコン１００が読み取る。液晶表示回路１１１は、ファインダ内表示器２４と外部表示器４２をカメラマイコン１００からの信号に従って制御する。
【００３６】
次に、撮影レンズ１１内の電気回路構成について説明する。
【００３７】
カメラ本体１と撮影レンズ１１とはレンズマウント接点１０を介して相互に電気的に接続される。このレンズマウント接点１０は、撮影レンズ１１内のフォーカス駆動モータ１６および絞り駆動モータ１７の電源用接点である接点Ｌ０と、レンズマイコン１１２の電源用接点Ｌ１と、シリアルデータ通信を行うためのクロック用接点Ｌ２と、カメラ本体１から撮影レンズ１１へのデータ送信用接点Ｌ３と、撮影レンズ１１からカメラ本体１へのデータ送信用接点Ｌ４と、モータ用電源に対するモータ用グランド接点Ｌ５と、レンズマイコン１１２用電源に対するグランド接点Ｌ６とから構成されている。
【００３８】
レンズマイコン１１２は、レンズマウント接点１０を介してカメラマイコン１００と接続され、カメラマイコン１００からの信号に応じてフォーカシングレンズ１２を駆動するフォーカス駆動モータ１６および絞り１５を駆動する絞り駆動モータ１７を動作させ、撮影レンズ１１の焦点調節と絞りを制御する。５０と５１は光検出器とパルス板であり、レンズマイコン１１２がパルス数をカウントすることによりピント調節（合焦動作）時のフォーカシングレンズ１２の位置情報を得る。これにより、撮影レンズ１１の焦点調節を行うことができる。
【００３９】
１８は上記した距離エンコーダであり、ここで読み取られたフォーカシングレンズ１２の位置情報はレンズマイコン１１２に入力され、ここで被写体距離情報に変換され、カメラマイコン１００に伝達される。
【００４０】
次に、図３を用いて、光源検知用測光センサ（輝線検知センサ）３１の詳細を説明する。
【００４１】
３１０は光源検知用測光センサ３１内のＩＣチップであり、該ＩＣチップ３１０内に第１のフォトダイオード３１１および第２のフォトダイオード３１２がある。また、各々のフォトダイオード３１１，１３２の受光部（光を感じる開口した部分）上には、水銀のｇ線を選択的に透過する第１のフィルタ３１３、および、水銀のｇ線を除く波長を透過する第２のフィルタ３１４が配置されている。
【００４２】
次に、図４を用いて、光源検知用測光センサ３１の内部回路を説明する。
【００４３】
第１のフォトダイオード３１１は演算増幅器３１６の入力端子に接続され、第２のフォトダイオード３１２は演算増幅器３１８の入力端子に接続されている。また、それぞれの演算増幅器３１６，３１８の入力端子の一方と出力端子間には、対数圧縮用のダイオード３１５および３１７が接続されている。
【００４４】
上記ダイオード３１５，３１７により、フォトダイオード３１１および３２１を流れる電流は対数圧縮され、それぞれの演算増幅器３１６，３１８の出力端子に電圧として発生する。これらの演算増幅器３１６，３１８の出力電圧は差動増幅器３１９の入力端子に接続され、差分の電圧として出力され、前述のカメラマイコン１００に入力される。したがって、フォトダイオード３１１とフォトダイオード３１２に流れる光電流が等しければ、差動増幅器３１９の出力電圧は発生せず、フォトダイオード３１１に流れる光電流の方が大きければ、差動増幅器３１９の出力電圧高くなり、逆の場合は低くなる。したがってこの差動増幅器３１９の出力電圧を測定する事により、光源種別を判別する事ができる。
【００４５】
次に、図５を用いて、光源検知用測光センサ３１の分光特性を説明する。
【００４６】
同図において、Ａは光源検知用測光センサ３１のそれぞれの受光部であるフォトダイオード３１１および３１２の分光感度特性であり、Ｂは第１の受光部であるフォトダイオード３１１の前に配置される光学フィルタ３１３の分光感度特性であり、Ｃは第２の受光部であるフォトダイオード３１２の前に配置される光学フィルタ３１４の分光感度特性である。Ｄは蛍光灯の波長分光特性である。したがって、第１の受光部であるフォトダイオード３１１は水銀のｇ線を検出し、第２の受光部であるフォトダイオード３１２は水銀のｇ線以外の波長域の光を検出する。
【００４７】
次に、上記構成のカメラシステムのオートフォーカス動作について、図６のフローチャートを用いて説明する。
【００４８】
図２で示したカメラ本体１のスイッチＳＷ１が押されてｏｎすると、カメラマイコン１００は、ステップ＃１０１より動作を開始する。ここでは、焦点検出回路１０５を含む焦点検出ユニット２６内の焦点検出ラインセンサ２９の蓄積を行い、結像された被写体像を読み取る。次のステップ＃１０２では、取得した２像のずれから、公知の方法でデフォーカス量の演算を行う。
【００４９】
次のステップ＃１０３，＃１０４では、カメラマイコン１００は、上記の第１のフォトダイオード３１１および第２のフォトダイオード３１２の光電流を対数圧縮した差分を読み出し、その差分が所定電圧以上の場合は、光源が蛍光灯であると判定し、ステップ＃１０５に進み、所定電圧以下の場合は蛍光灯でないと判定し、ステップ＃１０８に分岐する。ステップ＃１０５ヘ進むと、カメラマイコン１００は、色収差量の送信をシリアル通信ラインＬＣＫ，ＬＤＯ，ＬＤＩを介してレンズマイコン１１２に対して指示する。この通信を受けてレンズマイコン１１２は、現在の焦点距離、フォーカス位置に応じた色収差データをマイコン１１２内の不図示のＲＯＭテーブルから読み出し、シリアル通信ラインＬＣＫ，ＬＤＯ，ＬＤＩを介してカメラマイコン１００に返送する。
【００５０】
次のステップ＃１０６，＃１０７では、カメラマイコン１００は、上記ステップ＃１０２で求めたデフォーカス量に上記ステップ＃１０５で取得したレンズの色収差データを加算して、最終的なデフォーカス量を演算する。
【００５１】
次のステップ＃１０８では、カメラマイコン１００は、上記デフォーカス量が所望の範囲うち、例えば１／４Ｆδ以内（Ｆ：レンズの絞り値、δ：定数：２０μｍ、したがってＦ２．０のレンズの開放絞りでは１０μｍ）であるならば合焦と判定し、オートフォーカス動作を終了する。一方、１／４Ｆδより大であるならば、ステップ＃１０９でこのデフォーカス量を前述のシリアル通信ラインＬＣＫ，ＬＤＯ，ＬＤＩを介してレンズマイコン１１２に対して送信し、レンズ駆動を指令する。この指令を受けてレンズマイコン１１２は、受信したデフォーカス量に応じてフォーカス駆動モータ１６の駆動方向を決定し、指令されたデフォーカス量に応じて該フォーカス駆動モータ１６を駆動してステップ＃１０１に戻り、合焦状態になるまで前述の動作を繰り返す。
【００５２】
次に、図７のフローチャートを用いて、レリーズ時の動作を説明する。
【００５３】
上記したオートフォーカス動作が終了し、図２のレリーズ開始スイッチＳＷ２が操作されてｏｎすると、カメラマイコン１００は、先ずステップ＃２０１で、可視光側を測光する測光センサ７の測光値から被写体輝度ＢＶを求め、設定されたＩＳＯ感度ＳＶと加算し、露出値ＥＶを求め、公知の方法で絞り値ＡＶおよびシャッタ速度ＴＶを算出する。そして、次のステップ＃２０２にて、主ミラー２を跳ね上げて撮影光路から退避させると同時に、レンズマイコン１１２に対して上記ステップ＃２０２で決定した絞り値ＡＶに絞り込むように指示する。レンズマイコン１１２は、その指令を受けて絞り駆動モータ１７を動作させて絞り１５の絞り込みを行う。
【００５４】
その後、主ミラー２が撮影光路から退避すると、カメラマイコン１００は、ステップ＃２０３にて、シャッタ先幕駆動マグネットＭＧ−１に通電し、フォーカルプレーンシャッタ８の開放動作を開始させる。所定のシャッタ開放時間が経過するとステップ＃２０４へ進み、カメラマイコン１００は、シャッタ後幕駆動マグネットＭＧ−２に通電し、フォーカルプレーンシャッタ８の後幕を閉じて露出を終了しステップ＃２０５で主ミラー２をダウンさせ、撮影を終了する。
【００５５】
以上の実施例１によれば、撮影レンズ１１を透過した光束の特定の波長域（水銀のｇ線の波長域）と上記特定の波長域以外の波長域（水銀のｇ線以外の波長域）を測光する、光源検知用測光センサ３１に含まれるフォトダイオード３１１，３１２の各出力を比較し、その差分から光源の種類を判定（図２のカメラマイコン１００（図６のステップ＃１０４））して、撮影レンズ１１の色収差に関する情報を撮影レンズ１１側のレンズマイコン１１２より読み出してピント補正量を求め（図６のステップ＃１０５，＃１０６）、焦点検出ユニット２６にて検出されたデフォーカス量を補正（図６のステップ＃１０７）して、焦点調節動作を行う（図６のステップ＃１０８，＃１０９）ようにしている。
【００５６】
撮影レンズ１１側は、上記のように、カメラマイコン１００からの色収差補正量の要求に従い、レンズマイコン１１２内の記憶手段に記憶している色収差情報をカメラマイコン１００へ供給するようにしている。
【００５７】
よって、被写体照明光源の分光特性や、撮影レンズ１１の種類に応じた色収差量にかかわらず、常にピントの合った画像を得る事が可能となる。つまり、各種光源下、各輝度下において、様々な撮影レンズを用いても、ピントのずれない精度の良いオートフォーカスカメラシステムとすることができる。
【００５８】
図１３では、輝度の違いにより、処理を異ならせることを示している。ステップＳ１００１で、輝度の判定を行い、所定値よりも高輝度の場合には、ステップＳ１００２にて、ＡＥセンサの出力のみを用いて光源検知を行う。一方、所定値よりも低輝度の場合には、ステップＳ１００３にて、ＡＥセンサとＡＦセンサの両方の出力を用いて光源検知を行う。
【００５９】
図１４では、コントラストの違いにより、処理を異ならせることを示している。ステップＳ１１０１でコントラストの判定を行い、高コントラストであると判断した場合には、ステップＳ１１０２にて、ＡＥセンサとＡＦセンサとが検出するエリアの同一領域から光源検知を行う。一方、低コントラストであると判断した場合には、ステップＳ１１０３にて、ＡＥセンサとＡＦセンサとが検出するエリアの平均測光値から光源検知を行う。なお、ステップＳ１１０２で同一領域としたのは、同一領域を含むより広い領域で光源検知するようにしてもよい。
【００６０】
図１５では、ＡＥセンサを用いて光源検知を行った結果により、処理を異ならせることを示している。ステップＳ１２０１で光源検知を行い、ステップＳ１２０２でその結果の判定を行い、もし、蛍光灯下であると判断した場合には、ステップＳ１２０３にて、ＡＥセンサとＡＦセンサの両方の出力を用いて、再度光源検知を行う。
［実施例２］
本発明の実施例２では、露光量調停用測光センサと光源検知用測光センサを同一ＩＣチップで実現しようとするものである。
【００６１】
図８は、本発明の実施例２に係わる、一眼レフレックスカメラと該カメラに装着される交換式の撮影レンズとによって成るオートフォーカスカメラシステムを示す構成図であり、同図において、４０が露光量調停用測光センサと光源検知用測光センサを兼ねる測光センサである。その他、上記実施例１と同じ部材は同一の番号を付与し、その説明は省略する。
【００６２】
図９は本発明の実施例２に係わるカメラシステムの回路構成であり、上記実施例１と共通の構成要素には同じ符号を付している。同図において、測光センサ４０はカメラマイコン１００に接続されている。
【００６３】
図１０は本発明の実施例２における測光センサ４０の説明図である。同図において、４１０は測光センサ４０内のＩＣチップであり、該ＩＣチップ４１０上に受光部（光を感じる開口した部分）４１１がある。この受光部４１１は複数の領域に分割されており、図１０の下方に示す丸で囲った図はその１セルを拡大して示している。この図において、４１１ａは可視光領域をブロードに測光する露光量調停用のフォトダイオードの受光部、４１１ｂは水銀のｇ線を選択的に透過するオンチップフィルタを持つ第１のフォトダイオードの受光部、４１１ｃは水銀のｇ線を除く波長を透過するオンチップフィルタをもつ第２のフォトダイオードの受光部である。この１セルを１単位として、同じ構造のセルを複数並べて受光部４１１としている。
【００６４】
次に、図１１を用いて、測光センサ４０の分光特性を説明する。同図において、Ａは測光センサ４０の受光部４１１の１セルの各受光部を構成する各受光部４１１ａ，４１１ｂおよび４１１ｃの分光感度特性であり、Ｂは第１のフォトダイオードの受光部４１１ｂの前に配置されるオンチップフィルタの分光感度特性であり、Ｃは第２のフォトダイオードの受光部４１１ｃの前に配置されるオンチップフィルタの分光感度特性である。Ｄは蛍光灯の波長分光特性である。したがって、受光部４１１ｂを介して光が入射する第１のフォトダイオードは水銀のｇ線を検出し、受光部４１１ｃを介して光が入射するフォトダイオードは水銀のｇ線以外の波長域の光を検出する。
【００６５】
なお、光源の種類の判別回路と判別シーケンスに関しては、光源検知部が複数に分割されている点を除いては、上記実施例１と同様であるので、その説明は省略する。
【００６６】
以上の実施例２によれば、撮影レンズ１１を透過した光束の特定の波長域（水銀のｇ線の波長域）と上記特定の波長域以外の波長域（水銀のｇ線以外の波長域）とを測光する、測光センサ４０に含まれるフォトダイオード４１１ｂ，４１１ｃの各出力を比較し、その差分から光源の種類を判定して、撮影レンズ１１の色収差に関する情報を撮影レンズ１１側のレンズマイコン１１２より読み出してピント補正量を求め、焦点検出ユニット２６にて検出されたデフォーカス量を補正して、焦点調節動作を行うようにしているので、被写体照明光源の分光特性や、撮影レンズ１１の種類に応じた色収差量にかかわらず、常にピントの合った画像を得る事が可能となる。
【００６７】
また、上記実施例２では、撮影画面を複数に分割して、部分的な範囲で光源の種類の検出を行うことができるので、撮影画面内に複数の種類の光源が存在する場合でも、自動合焦動作を行う測距点（デフォーカス量検出点）の近傍の光源状態だけを検出する事が可能である。よって、上記実施例１よりも、所望する自動合焦領域でより正確にピントを合わせる事が可能である。
【００６８】
上記実施例１および２では、カメラシステムに適用した例を述べているが、これに限定されるものではなく、カメラ以外の自動焦点検出機能を有する装置にも適用可能である。
【符号の説明】
【００６９】
１  カメラ本体
７，３１，４０  測光センサ
１１  撮影レンズ
１２  フォーカシングレンズ
２６  焦点検出ユニット
１００  カメラマイコン
１１２  レンズマイコン
【図１】
2013231885.tif 000003
【図２】
2013231885.tif 000004
【図３】
2013231885.tif 000005
【図４】
2013231885.tif 000006
【図５】
2013231885.tif 000007
【図６】
2013231885.tif 000008
【図７】
2013231885.tif 000009
【図８】
2013231885.tif 000010
【図９】
2013231885.tif 000011
【図１０】
2013231885.tif 000012
【図１１】
2013231885.tif 000013
【図１２】
2013231885.tif 000014
【図１３】
2013231885.tif 000015
【図１４】
2013231885.tif 000016
【図１５】
2013231885.tif 000017